(57)【要約】【課題】  アルミ製の外枠に対する面体の固定を可及的容易な作業で行うとともに仕切体としての耐久性を長期に亘って確保し得るようにする。【解決手段】  外枠１０の上枠１１と下枠１３間に，縦格子の面体２０を倹飩状に挿入して，下枠１３上の下桟２２を，該下枠１３にネジ３０止め固定することによって面体２０の下端を固定し，その位置決め固定を行う一方，該面体２０の倹飩状の挿入と位置決め固定によって外枠１０における上枠１１の下向き開口一方の対向壁と面体２０における上桟２１の正面側起立フィン２５との間に形成された残余空隙にビード３１を圧入介設して，該面体上部の挟持固定を行う。ビード３１によって残余空隙を閉塞するとともに上桟２１を強固且つ確実に弾発保持することができ，長期に亘って耐久性を確保した仕切体Ａとすることができる。【選択図】  図２
2008274611.tif 000002
【特許請求の範囲】
【請求項１】
上枠，下枠及び左右の縦枠によって形成した外枠と，該外枠の上枠及び下枠間に倹飩状に挿入し該上枠及び下枠に上桟及び下桟をそれぞれ固定することによって該外枠内に配置した面体とを備えた仕切体であって，下枠に下桟をネジ止めして上記面体を下枠に載置固定するとともに上記倹飩状の挿入により上枠の下向き開口溝と上桟との間に形成された残存空隙に圧入介設した合成樹脂製のビードによって該上桟を弾発保持して上記面体を上枠に挟持固定してなることを特徴とする仕切体。
【請求項２】
上記残存空隙を画する上枠及び上桟の一方又は双方に残存空隙側に向けて突出したビード係止片を配置し，上記残存空隙に圧入介設したビードを該ビード係止片に係止してなることを特徴とする請求項１に記載の仕切体。
【請求項３】
上枠，下枠及び左右の縦枠によって形成した外枠における上記上枠及び下枠間に面体を上下倹飩状に挿入し，下枠に下桟をネジ止めして上記面体を下枠に載置固定した後に，上記倹飩状の挿入により上枠の下向き開口溝と上桟との間に形成された残存空隙に合成樹脂製のビードを圧入介設することによって該上桟を弾発保持して上記面体を上枠に挟持固定することを特徴とする仕切体の形成方法。
【発明の詳細な説明】
【技術分野】
【０００１】
本発明は，例えばフェンス，スクリーン等の仕切体及びその形成方法に関する。
【背景技術】
【０００２】
この種仕切体は，一般に上枠，下枠及び左右の縦枠によって形成した外枠と，該外枠の上枠及び下枠に上桟及び下桟をそれぞれ固定することによって該外枠内に配置した面体とを備えたものとされ，下記文献のものは，面体の上桟及び下桟に係合部を配置して，該係合部に係合するように，上記外枠の上枠，下枠及び左右の縦枠に相当するカバー枠を装着し，該カバー枠を面体に一体化した状態として，該面体を支柱にネジ止めして，フェンスを形成するものとされている。
【０００３】
【特許文献１】特開２００２−１０６２１２号公報
【発明の開示】
【発明が解決しようとする課題】
【０００４】
この場合，仕切体は，外枠と面体を一体化したものとなるが，該一体化するための構造が複雑であるとともにそのために部材数を増やす必要があり，現場の作業が煩雑化し且つコストがアップすることを避け得ない。
【０００５】
一方，例えばフェンスやスクリーンのように，屋外に設置する仕切体は，外枠に，格子，ブランクパネル等適宜の面体を配置すればよく，このとき仕切体は可及的に低コストにして，その設置に際して現場作業を可及的に減少して短時間に確実になし得るようにするとともに，例えば強風時の面体の揺動や，これによる騒音の発生等もなく，外枠に対して面体を安定且つ強固に固定することによって，仕切体としての耐久性を長期に亘って確保したものとすることが必要である。
【０００６】
本発明はかかる事情に鑑みてなされたもので，その解決課題とするところは，可及的低コストにして設置のための現場作業が容易であるとともに外枠に対して面体を安定且つ強固に固定して長期に亘る耐久性を確保し得るようにした仕切体を提供するにあり，また該仕切体を現場で可及的容易且つ確実に形成し得るようにした仕切体の形成方法を提供するにある。
【課題を解決するための手段】
【０００７】
上記課題に沿って本発明は，外枠に対して面体を上下倹飩状に挿入して配置し，下枠に対して面体の下桟をネジ止め固定するも，上枠に対して面体の上桟を，上下倹飩状の配置によってこれらの間に形成された残存空隙に合成樹脂製のビード（ビートと言うこともある）を圧入介設し，該空隙を閉塞するとともに上枠と上桟のそれぞれフラットな面の幅方向全長に亘るビードの弾発力と摩擦力を利用して上桟を上枠に対して弾発保持して，該上桟の挟持固定を行うようにし，これによって仕切体のコストを可及的に抑制し，外枠に対する面体配置の現場作業を，上記下枠に対する下桟のネジ止め固定と該残存空隙に対するビードの圧入介設によって簡易且つ確実になし得るものとして，面体の固定を安定且つ強固に行うとともに，例えば強風時の風圧による面体の揺動やこれによる騒音発生の可能性をも完全に解消し得るようにしたものであって，即ち請求項１に記載の発明を，上枠，下枠及び左右の縦枠によって形成した外枠と，該外枠の上枠及び下枠間に倹飩状に挿入し該上枠及び下枠に上桟及び下桟をそれぞれ固定することによって該外枠内に配置した面体とを備えた仕切体であって，下枠に下桟をネジ止めして上記面体を下枠に載置固定するとともに上記倹飩状の挿入により上枠の下向き開口溝と上桟との間に形成された残存空隙に圧入介設した合成樹脂製のビードによって該上桟を弾発保持して上記面体を上枠に挟持固定してなることを特徴とする仕切体としたものである。
【０００８】
請求項２に記載の発明は，上記に加えて，上記残存空隙に圧入介設したビードの垂れ下りや外れを防止し，長期に亘って面体の挟持固定を確実に維持し得るものとするように，これを，上記残存空隙を画する上枠及び上桟の一方又は双方に残存空隙側に向けて突出したビード係止片を配置し，上記残存空隙に圧入介設したビードを該ビード係止片に係止してなることを特徴とする請求項１に記載の仕切体としたものである。
【０００９】
請求項３に記載の発明は，上記仕切体の形成方法を提供するように，これを，上枠，下枠及び左右の縦枠によって形成した外枠における上記上枠及び下枠間に面体を上下倹飩状に挿入し，下枠に下桟をネジ止めして上記面体を下枠に載置固定した後に，上記倹飩状の挿入により上枠の下向き開口溝と上桟との間に形成された残存空隙に合成樹脂製のビードを圧入介設することによって該上桟を弾発保持して上記面体を上枠に挟持固定することを特徴とする仕切体の形成方法としたものである。
【００１０】
本発明はこれらをそれぞれ発明の要旨として上記課題解決の手段としたものである。
【発明の効果】
【００１１】
本発明は以上の通りに構成したから，請求項１に記載の発明は，外枠に対して面体を上下倹飩状に挿入して配置し，下枠に対して面体の下桟をネジ止め固定するも，上枠に対して面体の上桟を，上下倹飩状の配置によってこれらの間に形成された残存空隙に合成樹脂製のビードを圧入介設し，該空隙を閉塞するとともに上枠と上桟のそれぞれフラットな面の幅方向全長に亘るビードの弾発力と摩擦力を利用して上桟を上枠に対して弾発保持して，該上桟の挟持固定を行うようにし，これによって仕切体のコストを可及的に抑制し，外枠に対する面体配置の現場作業を，上記下枠に対する下桟のネジ止め固定と該残存空隙に対するビードの圧入介設によって簡易且つ確実になし得るものとして，面体の固定を安定且つ強固に行うとともに，例えば強風時の風圧による面体の揺動やこれによる騒音発生の可能性をも完全に解消し得るようにした仕切体を提供することができる。
【００１２】
請求項２に記載の発明は，上記に加えて，上記残存空隙に圧入介設したビードの垂れ下りや外れを防止し，長期に亘って面体の挟持固定を確実に維持し得るものとすることができる。
【００１３】
請求項３に記載の発明は，上記仕切体を現場で可及的容易且つ確実に形成し得るようにした仕切体の形成方法を提供することができる。
【発明を実施するための最良の形態】
【００１４】
以下図面の例に従って本発明を更に具体的に説明すれば，Ａは，例えば玄関や庭に設置する，例えば縦格子タイプのアルミ製のスクリーンとした仕切体であり，該仕切体Ａは，上枠１１，下枠１３及び左右の縦枠１４によって形成した外枠１０と，該外枠１０の上枠１１及び下枠１３間に倹飩状に挿入し該上枠１１及び下枠１３に上桟２１及び下桟２２をそれぞれ固定することによって該外枠１０内に配置した面体２０とを備えたものとしてあり，本例にあって該仕切体Ａは，その外枠１０及び面体２０をそれぞれアルミ押出材を用いて形成したアルミ製のものとしてある。
【００１５】
本例にあって外枠１０の上枠１１，下枠１３及び左右の縦枠１４は，これを，上記アルミ押出材を所定長さに切断し且つ穴あけ等の必要な加工等を施して形成し，縦枠１４間に上枠１１と下枠１３を架設するようにブラケット１５を介して又は直接にネジ３０止め固定することによって内側に矩形の開口を形成するように枠組したものとしてある。このとき上枠１１と下枠１３は，上記面体２０を倹飩状に挿入してその固定を行うように，下枠１３を，その上面に面体２０の下桟２２を載置する載置部，本例にあっては平坦な載置面を備えたものとし，上枠１１を，面体２０の倹飩状の挿入に際して該面体２０の上部を受け入れる受溝を有する下向き開口の断面コ字状のものとしてある。また本例にあって該断面コ字状の上枠１１には，その内側の対向壁に，後述のビード係止片１２を，例えば水平乃至傾斜のフィン状に配置してある。
【００１６】
本例にあって面体２０は，上記外枠１０の矩形の開口幅より幾分幅狭の横幅に形成してあり，該横幅に合せた，上記外枠１０におけると同様にアルミ押出材を切断加工して形成した，上桟２１と下桟２２間に平行多数の縦子桟２７を配置したものとしてある。上桟２１及び下桟２２は，上桟２１において短寸に，下桟２２において長寸に形成した各水平基板２３と，その奥行方向中間位置に起立した格子固定フィン２４と，上桟２１において水平基板２３両端に上向きに，下桟２２において水平基板２３両端及び奥行方向中間位置に下向きに配置した起立フィン２５とを備えたものとしてあり，本例にあって縦子桟２７の配置は，格子固定フィン２４の背面に上記縦小桟２７を対接配置しその上下端に，該格子固定フィン２４からのネジ３０によって，これら縦小桟２７をネジ３０止め固定して形成してあり，このとき該格子固定フィン２４は，その正面側に上下一対の係止条を備え，後述の倹飩状挿入の面体２０の固定後に，それぞれ該格子固定フィン２４と同長の化粧横桟２６を該係止条を用いてスナップイン係止し，該化粧横桟２６によって格子固定フィン２４の正面側を被覆化粧して上記縦小桟２７を固定したネジ３０の露出を防止したものとしてある。
【００１７】
外枠１０に倹飩状に挿入した面体２０は，下枠１３に下桟２２をネジ３０止めして上記面体２０を下枠１３に載置固定するとともに上記倹飩状の挿入により上枠１１の下向き開口溝と上桟２１との間に形成された残存空隙に圧入介設した合成樹脂製のビード３１によって該上桟２１を弾発保持して上記面体２０を上枠１１に挟持固定して，仕切体Ａを形成してある。
【００１８】
即ち下桟２２のネジ３０止め固定は，外枠１０の下枠１３に倹飩状に挿入した面体２０の下桟２２を水平に載置した状態で，該下桟２２の水平基板２３の上面から所定間隔多数のネジ３０を下枠１３に対して螺入することによって，該面体２０の載置固定を行ってあり，これにより外枠１０の開口内に，該面体２０を垂直に起立配置し且つ外枠１０の開口内の奥行方向定位置に該面体２０を配置してその位置決めを行ってある。
【００１９】
このとき外枠１０の上部においては，ネジ止め固定を用いることなく，ビード３１を上枠１１と上桟２１間の残存空隙に圧入介設することによって面体２０の固定を行ってある。即ち上枠１１，特にその下向き開口は，外枠１０への面体２０の上下倹飩状の挿入を許容する幅広の奥行寸法を有する一方，上記下桟２２より短寸に形成した面体２０の上桟２１は，該上枠１１の下向き開口より幅狭の奥行寸法を有するために，これら上枠１１と上桟２１間に面体２０の倹飩状の挿入とその下枠１３へのネジ３０止め固定による奥行方向の位置決め配置によって，その奥行寸法の差に起因する残余空隙が形成されるところ，上記下桟２２のネジ３０止め固定により面体２０の位置決めがなされることによって，本例において該残余空隙が，上枠１１の下向き開口一方の正面側対向面と上桟２１一方の正面側起立フィン２５との間に形成されるに至り，該残余空隙に，合成ゴム等の合成樹脂製ビード３１を上枠１１の開口側から上向きに圧入介設して，該残余空隙を閉塞するとともに上桟２１を弾発的に保持して，該面体２０の挟持固定を行ってある。
【００２０】
本例の上枠１１には残存空隙側に向けて突出した上記ビード係止片１２を配置したことによって，該残存空隙に圧入介設したビード３１を該ビード係止片１２に係止したものとしてある。即ち本例のビード３１は，例えば上向きに矢尻状をなすように先端を狭小化してその胴部に該ビード係止片１２に合せてこれに係合する水平乃至傾斜受溝を備えており，該ビード３１の圧入介設時に該受溝をビード係止片１２に引掛状に係止することによって，該ビード３１を定位置に保持して，上枠１１に常時上桟２１を強固且つ安定して挟持してある。
【００２１】
該仕切体Ａの形成は，上記外枠１０における上記上枠１１及び下枠１３間に面体２０を上下倹飩状に挿入し，上記下枠１３に下桟２２をネジ３０止めして上記面体２０を下枠１３に載置固定した後に，上記倹飩状の挿入によって上枠１１の下向き開口溝と上桟２１との間に形成された残存空隙に合成樹脂製のビード３１を圧入介設し，該上桟２１を弾発保持して上記面体２０を上枠１１に挟持固定するように，その現場での作業を行えばよく，本例にあっては，更に上記化粧横桟２６を，面体２０の下桟２２のネジ３０止め固定，上桟２１の挟持固定の双方又は一方が終了した段階で，これを格子固定フィン２４にスナップイン係止して完成した仕切体Ａとすればよい。
【００２２】
このように形成した仕切体Ａは，外枠１０に対して倹飩状に挿入した面体２０を，その下桟２２を下枠１３にネジ３０止めする一方，その位置決め状態で上枠１１と上桟２１間にビード３１を圧入介設することによって，その現場作業を可及的に容易にし得るとともに上枠１１の下向き開口一方の対向壁と上桟２１一方の起立フィン２５における幅方向全長に亘るそれぞれフラットな面を，これに圧入介設し且つビード係止片１２に係止して保持したビード３１の弾発力と摩擦力によって強固且つ確実に弾発保持することができ，長期に亘って仕切体Ａの耐久性を確保したものとすることができる。
【００２３】
図示した例は以上のとおりとしたが，単一の外枠に面体を幅方向に複数配置すること，このとき上記ビード乃至化粧横桟を該複数の面体に一連のものとすること，面体を上桟と下桟を備えたブランクパネルとすること，仕切体をフェンスとすること等を含めて，外枠，その上枠，下枠，縦枠，面体，ビード，必要に応じて用いるビード係止片等の各具体的形状，材質，構造，これらの関係，これらに対する付加，仕切体の形成方法等は，上記発明の要旨に反しない限り様々な形態のものとすることができる。
【図面の簡単な説明】
【００２４】
【図１】仕切体の斜視図である。
【図２】仕切体の分解斜視図である。
【図３】面体の挿入状態を示す断面図である。
【図４】仕切体下部の縦断面図である。
【図５】仕切体上部の縦断面図である。
【符号の説明】
【００２５】
Ａ    仕切体
１０  外枠
１１  上枠
１２  ビード係止片
１３  下枠
１４  縦枠
１５  ブラケット
２０  面体
２１  上桟
２２  下桟
２３  水平基板
２４  格子固定フィン
２５  起立フィン
２６  化粧横桟
２７  縦子桟
３０  ネジ
３１  ビード
【図１】
2008274611.tif 000003
【図２】
2008274611.tif 000004
【図３】
2008274611.tif 000005
【図４】
2008274611.tif 000006
【図５】
2008274611.tif 000007